(57)【特許請求の範囲】
【請求項１】
記録紙等の消耗品を装着する消耗品装着部を備え、所定の情報を記録紙に印刷して、レシート、チケット等として発行するレシート類発行装置と、前記消耗品装着部に装着可能な消耗品とを有するレシート類発行システムにおいて、
前記消耗品は広告情報を担持した広告情報担持部を備え、
前記レシート類発行装置は、前記広告情報担持部に担持されている広告情報を読み取る広告情報読取手段と、読み取られた前記広告情報を出力する広告情報出力手段を備え、
前記広告情報担持部は前記広告情報出力手段から出力される前記広告情報の広告期間に関する情報を担持していることを特徴とするレシート類発行システム。
【請求項２】
請求項１において、
前記消耗品はインクカートリッジあるいは記録紙ロールであることを特徴とするレシート類発行システム。
【請求項３】
請求項１において、
前記レシート類発行装置は、前記消耗品装着部に装着された消耗品の消費量を計測する消費量計測手段を備え、
前記広告出力手段は、消耗品の消費量が、前記広告情報読取手段によって読み取られた所定の消費量に達すると、広告の出力を停止することを特徴とするレシート類発行システム。
【請求項４】
請求項１において、
前記広告情報担持部はメモリチップであり、
前記広告読取手段は前記メモリチップの前記広告情報を読み取るメモリリーダを備えていることを特徴とするレシート類発行システム。
【請求項５】
請求項４において、
前記メモリリーダは、前記消耗品装着部に前記消耗品が装着されると、前記メモリチップの端子に接続可能な読取端子を備えていることを特徴とするレシート類発行システム。
【請求項６】
請求項４において、
前記メモリチップは、前記消耗品の使用期間中の広告掲載履歴情報を記憶する消費履歴情報記憶領域を備え、
前記レシート類発行装置は、前記消耗品装着部に装着された消耗品の消費履歴情報を前記メモリチップの前記消費履歴情報記憶領域に書き込む書き込み手段を備えていることを特徴とするレシート類発行システム。
【請求項７】
請求項４において、
前記レシート類発行装置は、前記消耗品装着部に装着されている消耗品が無くなったことを検出するエンド検出手段と、当該エンド検出手段によって消耗品が無くなったことが検出されると、前記メモリチップの記憶内容を消去する広告情報消去手段とを備えていることを特徴とするレシート類発行システム。
【請求項８】
請求項１において、
前記広告情報担持部は一次元バーコード若しくは二次元バーコードであり、
前記広告情報読取手段は、前記バーコードを読み取るバーコードリーダを備えていることを特徴とするレシート類発行システム。
【請求項９】
請求項１において、
前記広告情報出力手段は、前記レシート類発行装置から発行されるレシート類に広告情報を印刷する印刷手段であることを特徴とするレシート類発行システム。
【請求項１０】
請求項１において、
前記広告情報出力手段は、前記広告情報を画像情報として画面上に表示する表示手段であることを特徴とするレシート類発行システム。
【請求項１１】
請求項１において、
前記広告情報出力手段は、前記広告情報を音声により出力する音声出力手段であることを特徴とするレシート類発行システム。
【請求項１２】
請求項１において、
前記レシート類発行装置は、前記消耗品装着部に装着されている消耗品が無くなったことを検出するエンド検出手段と、当該エンド検出手段によって消耗品が無くなったことが検出されると、前記広告情報読み取り手段に読み取られた広告情報を記憶する広告情報記憶部の情報を消去する広告情報消去手段とを備えていることを特徴とするレシート類発行システム。
【請求項１３】
記録紙等の消耗品を装着する消耗品装着部を備え、所定の情報を記録紙に印刷して、レシート、チケット等として発行するレシート類発行装置において、
前記消耗品は、広告情報を担持した広告情報担持部を備え、
前記レシート類発行装置は、前記広告情報担持部に担持されている広告情報を読み取る広告情報読取手段と、読み取られた前記広告情報を出力する広告情報出力手段を備え、
前記広告情報担持部は前記広告情報出力手段から出力される前記広告情報の広告期間に関する情報を担持していることを特徴とするレシート類発行装置。
【請求項１４】
記録紙等の消耗品に広告情報を担持させ、前記消耗品が装着されるレシート類発行装置によって前記広告情報を読み取らせ、読み取らせた広告情報を広告情報出力装置から出力することを特徴とするレシート類発行方法。
【請求項１５】
インクカートリッジに広告情報を担持させ、
このインクカートリッジをインク供給源とするレシート類発行装置により、前記広告情報を読み取らせ、
読み取らせた広告情報を、前記レシート類発行装置から発行されるレシート類に記録することを特徴とするレシート類発行方法。
【請求項１６】
請求項１５において、
読み取られた広告情報を、前記レシート類発行装置の表示画面上に表示することにより、画面上に広告を掲載することを特徴とするレシート類発行方法。
【請求項１７】
記録紙ロールに広告情報を担持させ、
この記録紙ロールを記録媒体供給源とするレシート類発行装置により、前記広告情報を読み取らせ、
読み取らせた前記広告情報を、前記記録紙ロールから繰り出される記録紙に印刷して、発行されるレシート類に記録することを特徴とするレシート類発行方法。
【請求項１８】
請求項１７において、
読み取られた広告情報を、前記レシート類発行装置の表示画面上に表示することにより、画面上に広告を掲載することを特徴とするレシート類発行方法。
【請求項１９】
請求項１記載のレシート類発行システムに用いるコード化された広告情報担持部を有していることを特徴とする記録紙ロール。
【請求項２０】
請求項１記載のレシート類発行システムに用いるコード化された広告情報担持部を有していることを特徴とするインクカートリッジ。
【発明の詳細な説明】
【０００１】
【発明の属する技術分野】
本発明は、レシートを発行するＰＯＳシステムあるいは店舗レジスタ、受付番号表を発行する銀行、証券会社、病院等の受付番号発行装置、入場券等を発行する発券装置等（以下、本明細書では、これらを「レシート類発行装置」と総称するものとする。）を利用して広告を行なうレシート類発行システムレシート類発行装置、および方法に関するものである。
【０００２】
【従来の技術】
コンビニエンスストア等に設置されているＰＯＳ端末としては、発行するレシートの余白部分に商品広告や各種のイベント情報等のような本来必要とされる売上げ情報以外の情報（以下、本明細書においてはこれらを「広告情報」と総称するものとする。）を印刷するものが知られている。このようなシステムは、例えば、特開平８−１６９２８号公報に記載されている。また、広告情報を、ＰＯＳ端末のディスプレイ上にテロップデータとして表示するシステムが、例えば、特開平１０−６９３６０号公報に記載されている。
【０００３】
ところで、レシート類発行装置では、一般に、テープ状の記録紙をロール状に巻き取った記録紙ロールが使用され、当該記録紙ロールから繰り出された記録紙に一回分の売上げ清算を印刷し、オートカッタ等で切断することにより一枚のレシートが発行されるようになっている。記録紙ロールが無くなると、新たな記録紙ロールを、レシート類発行装置のロール紙装填部に装填して使用している。また、インクジェットヘッドを備えたレシート類発行装置では、インクカートリッジをインク供給源として使用する形式のものが知られており、この場合にも、インクカートリッジのインクが無くなると、レシート類発行装置のインクカートリッジ装着部に新たなインクカートリッジを装填して使用している。
【０００４】
【発明が解決しようとする課題】
ここで、このような記録紙ロールやインクカートリッジ等の消耗品の購入費用は、レシート類発行装置を使用している店舗等が負担しているのが一般的である。従って、消耗品の費用負担が軽減されると、レシート類発行装置を使用している店舗等にとっては極めて有利となる。
【０００５】
本発明の課題は、この点に鑑みて、広告主にレシート類発行装置による広告掲載機能を利用させ、その広告掲載料を消耗品購入価格の一部に割り当てることにより、レシート類発行装置の使用者による消耗品購入費用の負担を軽減させることのできるレシート類発行システムおよびレシート類発行方法を提案することにある。
【０００６】
【課題を解決するための手段】
上記の課題を解決するために、本発明は、記録紙等の消耗品を装着する消耗品装着部を備え、所定の情報を記録紙に印刷して、レシート、チケット等として発行するレシート類発行装置と、前記消耗品装着部に装着可能な消耗品とを有するレシート類発行システムにおいて：前記消耗品は広告情報を担持した広告情報担持部を備え；前記レシート類発行装置は、前記広告情報担持部に担持されている広告情報を読み取る広告情報読取手段と、読み取られた前記広告情報を出力する広告情報出力手段を備え、前記広告情報担持部は前記広告情報出力手段」から出力される前記広告情報の広告期間に関する情報を担持していることを特徴とするレシート類発行システム。
【０００７】
ここで、前記消耗品としては一般的にインクカートリッジ、記録紙ロールを挙げることができる。
【０００８】
この構成のレシート類発行システムでは、消耗品を装着すると、そこに担持されている広告を、発行されるレシートあるいは画面上に掲載することが可能である。このように消耗品と広告情報を組み合わせているので、広告主に消耗品の購入価格の一部を広告掲載費用として負担させることが可能になる。
【００１０】
この広告期間に関する情報は消耗品の消費量とすることができる。この場合、前記レシート類発行装置は、前記消耗品装着部に装着された消耗品の消費量を計測する消費量計測手段を備え、前記広告出力手段は、消耗品の消費量が、前記広告情報読取手段によって読み取られた所定の消費量に達すると、広告の出力を停止するように構成することができる。
【００１２】
次に、本発明における前記広告情報担持部はメモリチップとし、前記広告情報読取手段は前記広告情報を読み取るメモリリーダとすることができる。
【００１３】
この場合、メモリチップを使用することにより、多くの広告量あるいは画像情報を担持させることができるので、高品質の広告が可能となる。
【００１４】
また、この場合には、前記広告情報読取手段は、前記消耗品装着部に前記消耗品が装着されると、前記メモリチップの端子に接続可能な読取端子を備えた構成とすることにより、メモリチップの情報の読取品質を向上させることができる。
【００１５】
また、この場合、前記メモリチップは、消耗品の使用期間中における広告掲載履歴情報を記憶する消費履歴情報記憶領域を備え、前記レシート発行装置は、前記消耗品装着部に装着された消耗品の広告掲載履歴情報を前記メモリチップの前記消費履歴情報記憶領域に書き込む書き込み手段を備えた構成とすることができる。このようにすれば、使用済みの消耗品を回収して、そのメモリチップに記憶されている広告掲載履歴情報に基づき、広告掲載がどのように行われたのかを広告主が確認できる。
【００１６】
使用済みの消耗品が廃棄処分とされる場合には、メモリチップの記憶内容をそのままにしておくことは適切でないので、前記レシート発行装置は、前記消耗品装着部に装着されている消耗品が無くなったことを検出するエンド検出手段と、当該エンド検出手段によって消耗品が無くなったことが検出されると、前記メモリチップの記憶内容を消去する広告情報消去手段とを備えた構成とすることが望ましい。
【００１７】
本発明において、前記広告情報担持部を、メモリチップの代わりに一次元バーコード(a linear bar code symbol)若しくは二次元バーコード（Two-dimensional Symbol）等のバーコードとすることができる。
【００１８】
この場合には、前記広告情報読取手段は対応するバーコードリーダを備えた構成とされ、消耗品を装着する前に、バーコードを読み取るようにすればよい。
【００１９】
次に、本発明において、前記広告情報出力手段は、発行されるレシート類に広告情報を印刷する印刷手段とすることができる。
【００２０】
ここで、前記消耗品が記録紙ロールの場合には、前記印刷手段は、１枚のレシートを発行するための印刷動作に連続して、記録紙ロールから繰り出された記録紙における次のレシート領域の先頭部分に前記広告情報を印刷するものであることが望ましい。
【００２１】
このようにすれば、１枚のレシートを発行後、連続して次に発行されるレシートに広告情報が印刷され、この状態で、次に発行されるレシートに売上げ清算情報等が印刷されるのを待機することになる。よって、各レシート発行時には広告情報の印刷時間が不要となるので、広告情報の印刷に必要な時間分だけレシート発行が長引いてしまうという弊害を回避できる。
【００２２】
本発明において、前記広告情報出力手段を印刷手段とする代わりに、広告情報を画像情報として画面上に表示する表示手段とすることができる。あるいは、広告情報を音声により出力する音声出力手段とすることもできる。勿論、印刷手段、表示手段および音声出力手段を合わせ持っている場合を排除するものではない。
【００２３】
ここで、本発明の前記広告情報読取手段は、読み取った広告情報を記憶する広告情報記憶部を備え、前記広告出力手段は当該広告情報記憶部に記憶されている広告情報を出力する構成とすることができる。
【００２４】
この場合、前記レシート類発行装置は、前記消耗品装着部に装着されている消耗品が無くなったことを検出するエンド検出手段を備え、当該エンド検出手段によって消耗品が無くなったことが検出されると、前記広告情報記憶部の情報を消去するようにすればよい。
【００２５】
一方、本発明は、記録紙等の消耗品を装着する消耗品装着部を備え、所定の情報を記録紙に印刷して、レシート、チケット等として発行するレシート類発行装置において、前記消耗品は広告情報を担持した広告情報担持部を備え、前記レシート類発行装置は、前記広告情報担持部に担持されている広告情報を読み取る広告情報読取手段を備え、読み取られた前記広告情報を出力する広告情報出力手段を備えていることを特徴としている。
【００２６】
また、本発明のレシート類発行方法は、記録紙等の消耗品に広告情報を担持させ、前記消耗品が装着されるレシート類発行装置によって前記広告情報を読み取らせ、読み取らせた広告情報を広告情報出力装置から出力することを特徴としている。
【００２７】
更には、本発明のレシート類発行方法は、：インクカートリッジに広告情報を担持させ；このインクカートリッジをインク供給源とするレシート類発行装置により、前記広告情報を読み取らせ；読み取らせた広告情報を、記録紙に印刷して、発行されるレシート類に広告を掲載することを特徴としている。
【００２８】
ここで、読み取られた広告情報を、前記レシート類発行装置の表示画面上に表示することにより、画面上に広告を掲載するようにしてもよい。
【００２９】
次に、本発明のレシート類発行方法は：記録紙ロールに広告情報を担持させ；この記録紙ロールを記録媒体供給源とするレシート類発行装置により、前記広告情報を読み取らせ；読み取らせた広告情報を、前記記録紙ロールから繰り出される記録紙に印刷して、発行されるレシート類に広告を掲載することを特徴としている。
【００３０】
この場合においても、読み取られた広告情報を、前記レシート類発行装置の表示画面上に表示することにより、画面上に広告を掲載するようにしてもよい。
【００３２】
プリンタに使用される記録紙ロールの場合、コード化された広告情報を担持している広告情報担持部を有していることを特徴としている。
【００３３】
この場合、前記コード化された広告情報は、前記コード化された広告情報をデコードするために読取手段によって読み取られることが望ましく、前記広告情報担持部は、担持量の多い二次元バーコードが望ましい。
【００３４】
また、インクを収容しているインクカートリッジにおいては、コード化された広告情報を担持している広告情報担持部を有していることを特徴としている。
【００３５】
この場合も、前記コード化された広告情報は、前記コード化された広告情報をデコードするために読取手段によって読み取られることが望ましく、前記広告情報担持部は、担持量の多い二次元バーコードあるいはメモリチップであることが望ましい。
【００３６】
【発明の実施の形態】
以下に、図面を参照して、本発明を適用したレシート類発行システムの実施例を説明する。
【００３７】
（第１の実施例）
図１は本発明を適用したＰＯＳシステムを示す概略構成図である。本例のＰＯＳシステム１は、コンビニエンスストア等の店舗に設置された店舗サーバ２と、この店舗サーバ２に接続されている複数台のＰＯＳ端末装置３（３（１），３（２），３（３）・・・）から構成されている。店舗サーバ２のＣＰＵ４は図示しないＲＯＭ、ＲＡＭ、ディスク等のメモリを含み、また、ディスク装置等のような比較的記憶容量の大きなランダムアクセス可能な記憶装置５が接続されている。
【００３８】
さらに、ＣＰＵ４はＰＯＳ端末装置側インタフェース６を介して、各ＰＯＳ端末装置３に接続され、上位側インタフェース７を介して図示しないセンターコンピュータまたはネットワークコンピュータに接続されている。これらセンターコンピュータまたはネットワークコンピュータからは、更新された商品データ等が提供される。
【００３９】
図２（ａ）および（ｂ）は、一台のＰＯＳ端末装置３をオペレータによる操作側から見た正面側斜視図、および顧客側から見た背面側斜視図である。本例のＰＯＳ端末装置３は偏平な直方体形状の本体ケース１０を備え、そこにはキャッシュドロア１１が配置されている。本体ケース１０の前側上面には、オペレータにより商品情報および顧客情報等が入力されるオペレータ用キーボード１２が配置され、この後側には、オペレータ用表示器１３およびレシート発行用のプリンタ１４が並列配置されている。また、商品に貼付あるいは印刷されているバーコードを読み取るためのバーコードリーダ２０が備わっている。
【００４０】
本例のプリンタ１４はインクジェットヘッドを備えたインクジェットプリンタであり、そのインク供給源としては消耗品であるインクカートリッジ１５を使用するようになっている。すなわち、プリンタ１４の側方にはカートリッジ装着部１６が配置されており、ここにインクカートリッジ１５を着脱可能な状態で装着できるようになっている。このプリンタ１４によって、金銭登録処理後にレシート１７が発行される。発行されるレシート１７の余白部分には広告情報の印刷が可能となっている。オペレータ用キーボード１２の側方部分にはクレジットカード等の磁気カードを読み取るためのカードリーダ用スロット１８が配置されている。一方、ＰＯＳ端末装置３の背面側には、顧客用表示器１９およびスピーカ９が配置されている。
【００４１】
図３はカートリッジ装着部１６およびそこに装着可能なインクカートリッジ１５の主要部分を示す説明図である。インクカートリッジ１５は、直方体形状のケース２１と、この中に配置されたインク袋２２とを備えており、インク袋２２には円筒状のインク取出し口２３が取付けられている。このインク取出し口２３の先端面は、ケース２１の前端面に形成したインク供給針差し込み孔２４に対峙している。また、インク袋２２の側面には、当該インク袋２２に貯えられているインクが無くなったことを検出するための検出板２５が取付けられており、この検出板２５の一端に形成されている検出片２６を検出することにより、インクが無くなったこと（インクエンド）を検出可能となっている。
【００４２】
ここで、本例のインクカートリッジ１５には、そのケース前端部分に広告情報が記憶されたＩＣメモリチップ２７が内蔵されている。このＩＣメモリチップ２７内には、少なくとも、広告情報（広告文字情報、広告画像情報等）の記憶領域２８と、広告期間に関する情報の記憶領域２９と、当該インクカートリッジ１５のインクの消費履歴情報の記憶領域３０が形成されている。また、ＩＣメモリチップ２７に形成されている情報読み出し・書き込み用の端子部３１はケース２１に形成した開口３２から露出している。
【００４３】
この構成のインクカートリッジ１５が装着されるカートリッジ装着部１６には、インク供給針３３が配置されており、インクカートリッジ１５をカートリッジ装着部１６に装填するとこのインク供給針３３がインク取出し口２３に差し込まれて、インクカートリッジ１５からプリンタ１４のインクジェットヘッドに向けてインクを供給するインク供給系３４が形成される。また、カートリッジ装着部１６には、装着されたインクカートリッジ１５のＩＣメモリチップ２７の端子部３１に接続する情報読み出し・書き込み用コネクタ３５が配置されている。この情報読み出し・書き込み用コネクタ３５は、後述するメモリーリーダである広告情報読取部６１、書き込み部６８及び消去部６７等の端子から構成されている。
【００４４】
さらには、検出板２５の検出片２６の位置に基づきインクカートリッジ１５のインクエンドを検出するための検出部３６、インクカートリッジが装着されているか否かを検出するセンサ３７が配置されている。
【００４５】
図４は、上記構成のＰＯＳ端末装置３の制御系を示す概略ブロック図である。ＰＯＳ端末装置３の制御系もＣＰＵ４１を中心に構成されており、このＣＰＵ４１には図示していないがＲＯＭ、ＲＡＭ等のメモリやディスク等の記憶装置が含まれている。このＣＰＵ４１には、オペレータ用キーボード１２、オペレータ用表示器１３、顧客用表示器１９、バーコードリーダ２０、キャッシュドロア１１、プリンタ１４、カードリーダ１８ａ、スピーカ９が接続されている。また、インクエンドを検出するための検出部３６および情報読み出し・書き込み用コネクタ３５、センサ３７も接続されている。ＣＰＵ４１は、内部のメモリ等の記憶されているオペレーティングシステムおよびその他のソフトウエアを実行することにより、接続されている各部を制御する。
【００４６】
図５には、ＣＰＵ４１を中心として実行されるＰＯＳシステム１の基本的な機能を示す機能ブロック図である。この図に示すように、ＰＯＳシステム１は、当該ＰＯＳシステムの全体を駆動制御する主制御部５１を備えており、ここには、表示制御部５２、音声制御部５９、印刷データ生成部５３、印刷制御部５４、金銭登録処理部５５、記憶制御部５６とオペレータ入出力装置５７が接続されている。記憶制御部５６によって外部記憶装置５８が制御される。
【００４７】
金銭登録処理部５５は、ＰＯＳシステム等の金銭登録機特有の機能であり、購入商品を順次商品登録していく。商品登録とは、商品に付されたバーコード等を読み込ませることにより、該当商品の価格を記憶装置５８から読み出し、購入商品の名称、価格、購入個数等を購入記録として記憶すると共に、在庫データからその購入された商品の個数を差し引く等の一連の処理をいう。
【００４８】
ここで、本例の主制御部５１は、図６において機能ブロックとして示す制御機能を備えている。すなわち、インクカートリッジ１５（消耗品）に取り付けられているＩＣメモリチップ２７（広告情報担持部）に記憶されている広告情報を読み取る広告情報読取部６１を備え、読み取られた広告情報は広告情報記憶部６２に保持される。この広告情報記憶部６２に保持された広告情報は、プリンタ等の広告情報出力部６３によって、発行されるレシート１７に印刷され、あるいは、顧客用表示器１９に画像表示され、またあるいは、スピーカ９から広告の音声が流される。
【００４９】
ここで、本例では、広告情報記憶部６２には広告期間に関する情報も保持され、消耗品の消費量、例えばインク使用量を計測する消費量計測部６５によるインク使用量が記憶保持されているインク使用量に達すると、判別部６６はその旨を消去部６７に通知し、消去部６７は、広告情報記憶部６２の広告情報を消去すると共に、ＩＣメモリチップ２７の領域２８に記憶されている広告情報を消去する。この結果、広告掲載が終了する。
【００５０】
このように構成した本例のＰＯＳシステム１において、当該システムを使用している使用者は、消耗品であるインクカートリッジ１５の購入価格の一部を、広告主に負担してもらうことが可能である。すなわち、広告主と、インクカートリッジ１５の提供会社との間で事前に契約を結び、インクカートリッジ１５のＩＣメモリチップ２７に担持させる広告情報、広告料、広告期間を決める。広告料分だけ、ＰＯＳシステム１が設置されている店舗等は、消耗品であるインクカートリッジ１５の購入価格が低減される。
【００５１】
図７は、インクカートリッジ１５に搭載された広告情報がＰＯＳシステム１の各ＰＯＳ端末３において印刷されてレシートに掲載される手順を示す説明図である。この説明図を参照して説明すると、広告情報が搭載されたインクカートリッジ１５は、ＰＯＳシステム１の使用者に購入されて、各ＰＯＳ端末３のカートリッジ装着部１６に装着される。インクカートリッジ１５が装着されると、そのＩＣメモリチップ２７の読み出し・書き込み端子部３１が、カートリッジ装着部１６の側の情報読み出し・書き込み用コネクタ３５に接続した状態になる。ＰＯＳ端末装置３は、ＩＣメモリチップ２７に保持されている広告情報、広告期間情報を読み込み、広告情報記憶部６２に保持する。レシート発行時には、会計情報の印刷と共に、レシート１７の余白部分に、広告情報６４が印刷される。
【００５２】
図８には、広告が掲載されたレシートの一例を示してある。この図に示すように、発行される１枚のレシート８１ａ、８１ｂの表面には、会計情報（購入商品、値段、金額の合計、支払金額、釣り銭、日付、店名等の情報）が印刷された領域８２と、広告が印刷された領域８３がある。ここで、広告領域８３は、レシート８１の先頭部分の余白部分を利用することも可能であり（レシート８１ｂ）、また、その末尾の余白部分を利用することも可能である（レシート８１ａ）。
【００５３】
本例のプリンタ１４では、１枚のレシート発行時間を短縮するために、レシートの先頭部分の余白を広告領域８３とした形態のもの（レシート８１ｂ）を発行している。
【００５４】
図９を参照して説明すると、本例のプリンタ１４では、その記録紙ロール装着部９１に装着されている記録紙ロール９２から繰り出されるテープ状記録紙９３は、インクジェットヘッド９４による印刷位置を経由した後に、オートカッタ９５による切断位置を経て、外部に排出される。本例では、１枚のレシート９６の発行時に、当該レシートに印刷すべき会計情報９７を印刷した後（図９（ｂ）参照）、引き続き、次のレシートとなる記録紙の先頭部分に広告情報９８を印刷するようにしている（図９（ｃ）参照）。広告情報９８を印刷した後の時点では、発行されるレシート９６の後端が丁度、オートカッタ９５による切断位置に位置し、この位置で記録紙が切断され、１枚のレシート９６が発行される。次のレシートの発行時には、すでに、その先頭部分に広告情報が印刷されているので（図９（ａ）参照）、会計情報のみを印刷すれば、レシートを発行できる。従って、本例の印刷駆動方法によれば、１枚のレシート発行のために必要な時間は広告情報を掲載しない場合と同一となる。よって、広告が掲載されたレシートの発行を短時間で行なうことが可能になる。
【００５５】
次に、再び図６を参照して説明すると、本例では、ＩＣメモリチップ２７には広告期間に関する情報も担持されている。広告期間に関する情報は、例えば、インク消費量である。主制御部５１はインク消費量を計測するインク消費量計測部６５を備えており、実際のインク消費量が、広告情報記憶部６２に保持されているインク消費量に到ると、広告の掲載を終了させる。すなわち、広告情報記憶部６２に保持されている広告情報を消去し、レシート１７に広告を印刷して発行する動作を止め、会計情報のみを印刷してレシートを発行する。
【００５６】
広告期間に関する情報は、インク消費量の代わりに、レシート発行枚数とすることもできる。この場合には、図６において点線で示すように主制御部５１はレシート発行枚数をカウントするカウント部６５ａを備え、インクカートリッジ装着後のレシート発行枚数が広告情報記憶部６２に保持されているレシート発行枚数に達すると、レシートへの広告掲載を終了させる。この代わりに、インクカートリッジ１５を装着した後の使用時間に基づき広告期間を決めてもよい。この場合には、図６において点線で示すように、使用時間計測部６５ｂによって、使用時間を計数すればよい。
【００５７】
このように広告期間に関する情報をインクカートリッジ１５に担持させることにより、広告主は、より多様な料金体系での広告掲載を行なうことが可能になる。
【００５８】
勿論、このような広告期間に関する情報を担持させないことも可能である。この場合には、インクカートリッジ１５がカートリッジ装着部１６に装着されている間に亘って、広告掲載を行なうようにすればよい。すなわち、カートリッジ装着部１６に取付けられているカートリッジ有無センサ３７の出力に基づき広告情報記憶部６２の保持情報を消去するようにすればよい。あるいは、検出部３６の出力に基づき、インクエンドが検出された後は広告掲載を止めるようにしてもよい。
【００５９】
次に、本例のインクカートリッジ１５のＩＣメモリチップ２７は、広告掲載履歴情報を記憶する領域３０を備えている。ＰＯＳ端末装置３の主制御部５１は、使用時間計測部６５ｂ、およびカウント部６５ａを備えており、インクカートリッジ１５が装着された後は、当該インクカートリッジ１５が装着されている期間を計測すると共に、レシート発行枚数を計測する。計測値は、書き込み部６８に通知され、書き込み部６８は広告掲載履歴情報として、インクカートリッジ１５のＩＣメモリチップ２７に書き込むようになっている。書き込みは、インクカートリッジ１５のインクエンドが検出された時点で行なうようにしてもよいし、広告期間の終了時点で行なうようにしてもよいし、あるいは、レシートの発行毎に行なうようにしてもよい。
【００６０】
この場合、インク量計測部６５、使用時間計測部６５ｂ等で計測した後にインクカートリッジ１５が外される可能性がある状態、例えばカートリッジ装着部１６の蓋が外されたことを検知したとき、書き込むようにすることが望ましい。この構成にすれば、インクカートリッジ１５が使用できる状態でカートリッジ装着部１６から外されたとしても、書き込まれた広告掲載履歴情報をもとに継続使用が可能となる効果がある。
【００６１】
再び、図７を参照して説明すると、上記のように広告掲載履歴情報が書き込まれた使用済みのインクカートリッジ１５Ａを回収したインクカートリッジの提供業者は、記憶内容から広告掲載状態を広告主に提示することができる。従って、かかる構成を採用すれば、広告主が、広告掲載量（レシート発行枚数）に応じた広告料を、インクカートリッジ回収後に支払うシステムを構築することもできる。さらには、広告掲載履歴情報に、インクカートリッジが使用された店舗名の情報も含めておけば、例えば、広告掲載量の多い店には他店よりも安く提供する等のように広告掲載量（レシート発行枚数）に応じて、各店舗等に対しするインクカートリッジの販売価格を決定することも可能である。
【００６２】
ここで、使用後のインクカートリッジ１５にインクを再充填して使用された場合に、再度、広告がレシートに印刷されることになる。このような契約期間（広告期間）を越えて広告掲載が行われてしまうことを防止するためには、広告期間経過後、あるいは、インクエンドが検出された後に、ＰＯＳ端末装置３によって、インクカートリッジ１５のＩＣメモリチップ２７における広告情報領域２８を消去するようにすればよい。勿論、本例では、広告期間に関する情報が記憶保持されているので、当該広告期間を越えた広告掲載が行われることは無いが、広告期間に関する情報がインクカートリッジ１５に担持されていない場合には、当該インクカートリッジ１５に担持されている広告情報を消去することは有効である。
【００６３】
（広告掲載方法の別の例）
上記のＰＯＳシステム１においては、インクカートリッジ１５に担持されているレシートに広告を掲載するようにしている。この代わりに、図７に示すように、顧客用表示器１９に広告情報７７を、常時、あるいはレシート発行毎に画像表示するようにしてもよい。あるいは、レシートに印刷すると共に、顧客用表示器１９に表示するようにしてもよい。
【００６４】
顧客用表示器１９に表示する場合における広告期間は、表示器に広告を表示した時間の累計値とすることができる。また、広告掲載履歴情報としても、同様に、広告掲載時間の累計値とすることができる。
【００６５】
（広告情報の担持方法の別の例）
上記のＰＯＳシステム１では、インクカートリッジ１５のケースにＩＣメモリチップ２７を搭載し、ここに、広告情報を担持させるようにしている。広告情報の担持方法は、記憶媒体の代わりに、例えば、バーコードをインクカートリッジ１５のケースあるいは包装材の表面に印刷した形態であってもよい。この場合には、情報担持量の多い二次元バーコードを用いることが望ましい。
【００６６】
バーコードによって広告情報が担持されている場合には、各ＰＯＳ端末装置３にはバーコードを読み取るためのバーコードリーダあるいはスキャナを取付けておき、インクカートリッジをカートリッジ装着部１６に装着する前に、そこに印刷されているバーコードを読み取ればよい。読み取られたバーコード情報はデコードされて、広告情報記憶部６２に保持される。保持された広告情報は、レシートに印刷され、あるいは表示器に表示される。
【００６７】
（広告情報が担持された消耗品の別の例）
上記のＰＯＳシステム１においては、そのプリンタ１４で使用されるインクカートリッジ１５に広告情報を担持させるようにしている。ＰＯＳシステム１における消耗品としては記録紙ロールもある。図１０には、記録紙ロールに広告情報を担持させた場合のＰＯＳシステムによる動作を示してある。
【００６８】
この場合においても、ＰＯＳシステム１００の基本的な構成は上記の例と同様であるので、対応する部分には同一の符号を付し、それらの説明は省略するものとする。本例のＰＯＳシステム１００で使用する記録紙ロール１０１は、図１０（ａ）に示すように、その包装材のシールテープ１０２の表面に二次元バーコード１０３が印刷されている。この二次元バーコード１０３に担持されている広告情報は、当該記録紙ロールの提供者と、広告主との契約によって担持されるものである。
【００６９】
この構成の記録紙ロール１０１をロール装着部９１に装着する前に、当該シールテープ１０２に印刷されているバーコード１０３を、専用のバーコードスキャナ１０５によって読み取る。読み取られたバーコード情報はデコードされ、デコードされた広告情報が広告情報記憶部６２に保持される。
【００７０】
この後は、発行されるレシートに広告情報が印刷される。あるいは、顧客用表示器１９に広告情報が表示される。
【００７１】
記録紙ロールが無くなったことを検出するために、ロール装着部９１に配置されているエンド検出器１０６によって記録紙ロールが無くなったことが検出されると、広告情報記憶部６２の内容が消去され、広告の掲載が終了する（図１０（ｃ））。
【００７２】
バーコードによって広告期間に関する情報が担持されている場合には、当該期間の終了をまって広告の掲載を終了する。例えば、レシート発行枚数やロール紙使用長さ等に基づき、広告期間を定めることができる。顧客用表示器１９に表示する場合等には、広告期間を広告表示時間で指定することも可能である。
【００７３】
（その他の実施の形態）
なお、上記の例はＰＯＳシステムに本発明を適用した例であるが、本発明をその他のレシート類発行システムに対して同様に適用できることは勿論であるし、スタンドアローンタイプのレシート類発行装置であっても構わない。
【００７４】
更には、上記のＰＯＳシステム１では、ＰＯＳ端末装置３に顧客用表示器１９等の表示装置及びスピーカ９等の音声出力装置を一体に組み込んでいるが、ＰＯＳ端末装置３から分離して離れた場所に表示装置や音声出力装置を設置した場合であっても構わなく、広告宣伝効果のよい場所に表示装置や音声出力装置を設置できる。
【００７５】
この場合、例えば、広告宣伝専用の表示装置を店舗の入口付近に設置しておけば、より大勢に広告宣伝を伝えることができるし、又あるいは音声出力装置の出力を店舗内に設けたスピーカとし広告情報を定期的に放送すれば広告の効果が格段に向上することから、広告掲載履歴情報に外部端末の種類、広告情報を伝える範囲や人数、広告情報に関連する商品の販売有無、広告した回数、広告の効果等の情報をも含めておけば、キャッシュバック料を更に増額することも可能である。
【００７６】
ましてや、その広告内容が例えば店舗内で扱っている商品であれば、効果は大きいことから、外部スピーカへの出力が有で店舗内全域に行き渡る場合、広告主はインクカートリッジの購入価格の全額キャッシュバックすることや、更には、広告料を上乗せしてキャッシュバックすることも可能である。
【００７７】
また、上記の例では消耗品としてインクカートリッジ、記録紙ロールを例に挙げたが、これら以外の消耗品に広告情報を担持させるようにしてもよい。例えば、電池電源で駆動するレシート類発行システムでは、電池の表面等にバーコード等を用いて広告情報を担持させればよい。
【００７８】
更には、上記の例では、接続端子のあるＩＣメモリチップを用いたが、非接触型のＩＣであってもそれに対応したリーダやライタであれば同様の効果が得られるものである。
【００７９】
又更には、上記引例では、プリンタ、表示装置及び音声出力装置の広告出力装置を搭載したＰＯＳ端末装置を説明したが、それらの内の１つの機能のみを有しているものでも構わなく、出力装置の種類や数に限られるものでもない。
【００８０】
また更には、本例ではレシート類発行装置としてインクジェットプリンタを説明したが、消耗品として記録紙のみのサーマルプリンタであってもかまわないものである。
【００８１】
【発明の効果】
以上説明したように、本発明のレシート類発行システムでは、当該システムを構成しているレシート類発行装置の消耗品であるインクカートリッジや記録紙ロールに広告情報を担持させ、当該広告情報を、レシート類発行装置により発行されるレシート類に印刷出力し、あるいは、その表示装置に画像表示出力するようにしている。
【００８２】
従って、消耗品の提供業者は、広告主との間で広告掲載に関する契約を取り交わしておけば、レシート類発行装置のレシート類や表示器に掲載される広告の掲載料を減額して、当該消耗品の使用者に提供できる。よって、廉価に消耗品を提供できるので、提供業者にとっては安い価格でより多くの消耗品を提供可能になり、消耗品使用者にとっては安い価格で消耗品を購入できるので、費用負担が軽減されるという効果が得られる。
【図面の簡単な説明】
【図１】  本発明を適用したＰＯＳシステムを示す概略構成図である。
【図２】  図１のＰＯＳ端末を示す正面側斜視図および背面側斜視図である。
【図３】  図２のＰＯＳ端末におけるインクカートリッジおよびカートリッジ装着部を示す説明図である。
【図４】  図２のＰＯＳ端末の制御系を示す概略ブロック図である。
【図５】  図２のＰＯＳ端末の基本的な機能を示す機能ブロック図である。
【図６】  図５のＰＯＳ端末の主制御部の機能を示す概略機能ブロック図である。
【図７】  図１のＰＯＳシステムにおける動作を説明するための説明図である。
【図８】  レシートにおける広告掲載位置を示す説明図である。
【図９】  図１のＰＯＳシステムにおけるレシートへの広告印刷動作を示す説明図である。
【図１０】  記録紙ロールに担持された広告情報を印刷するように構成されたＰＯＳシステムの例を示す説明図である。
【符号の説明】
１  ＰＯＳシステム
３  ＰＯＳ端末装置
１４  プリンタ
１５  インクカートリッジ
１５Ａ  使用済みのインクカートリッジ
１６  カートリッジ装着部１７  レシート
１９  顧客用表示器
２７  ＩＣメモリチップ
２８、２９、３０  記憶領域
３１  情報読み出し・書き込み用端子
３５  ＰＯＳ端末装置側のコネクタ
３６  検出部
３７  センサ
５１  主制御部
６１  広告情報読取部
６２  広告情報記憶部
６３  広告情報出力部
６５  消費量計測部
６５ａ  カウント部
６５ｂ  使用時間計測部
６７  消去部
８１ａ、８１ｂ  レシート８２  会計情報
８３  広告領域
９１  記録紙ロール装着部
９２  記録紙ロール
９３  記録紙
９４  インクジェットヘッド
９５  オートカッタ
９６  レシート
９７  会計情報
９８  広告情報
１００  ＰＯＳシステム
１０１  記録紙ロール
１０２  シールテープ
１０３  バーコード
１０５  バーコードスキャナ
１０６  エンド検出器
【図１】
0003997769.tif 000002
【図２】
0003997769.tif 000003
【図３】
0003997769.tif 000004
【図４】
0003997769.tif 000005
【図５】
0003997769.tif 000006
【図６】
0003997769.tif 000007
【図７】
0003997769.tif 000008
【図８】
0003997769.tif 000009
【図９】
0003997769.tif 000010
【図１０】
0003997769.tif 000011